(57)【要約】【課題】照明負荷の明るさを所望の明るさに簡単な操作で切り替えられる壁取付用スイッチを提供する。【解決手段】壁取付用スイッチ１は、操作者が操作部に触れるタッチ操作を検知するタッチセンサ１２と、操作検知部１１ａと、操作検知部１１ａの検知結果に基づいて照明負荷１００を制御する調光制御部とを備える。操作検知部１１ａは、タッチセンサ１２がタッチ操作を検知している時間と所定時間とに基づいて短押し操作又は長押し操作を判断する。消灯状態では短押し操作によって調光制御部は所定の第１調光レベルで照明負荷１００を点灯させる。第１調光レベルで点灯している状態又は消灯状態では長押し操作によって調光制御部は第１調光レベルよりも明るい所定の第２調光レベルで照明負荷１００を点灯させる。第２調光レベル又は第１調光レベルでは短押し操作によって調光制御部は照明負荷１００を消灯させる。【選択図】図１
2014235978.tif 000002
【特許請求の範囲】
【請求項１】
操作者が操作部に触れるタッチ操作を検知するタッチセンサと、
前記タッチセンサが前記タッチ操作を検知している時間が所定時間よりも短ければ短押し操作と判断し、前記タッチセンサが前記タッチ操作を検知している時間が前記所定時間以上であれば長押し操作と判断する操作検知部と、
前記操作検知部の検知結果に基づいて照明負荷を制御する調光制御部とを備え、
消灯状態において前記操作検知部が前記短押し操作を検知すると、前記調光制御部は所定の第１調光レベルで前記照明負荷を点灯させ、
前記第１調光レベルで点灯している状態又は消灯状態において前記操作検知部が前記長押し操作を検知すると、前記調光制御部は前記第１調光レベルよりも明るい所定の第２調光レベルで前記照明負荷を点灯させ、
前記第２調光レベル又は前記第１調光レベルにおいて前記操作検知部が前記押し操作を検知すると、前記調光制御部は前記照明負荷を消灯させることを特徴とする壁取付用スイッチ。
【発明の詳細な説明】
【技術分野】
【０００１】
本発明は、壁取付用スイッチに関するものである。
【背景技術】
【０００２】
従来、タッチスイッチを備え、タッチスイッチに指を触れる毎に、蛍光ランプの明るさを全点灯、調光点灯、消灯の順番で周期的に切り替えるようにした蛍光ランプ点灯装置があった（例えば特許文献１参照）。
【先行技術文献】
【特許文献】
【０００３】
【特許文献１】特開平１−２８６２９８号公報
【発明の概要】
【発明が解決しようとする課題】
【０００４】
上述した従来の蛍光ランプ点灯装置は、タッチスイッチを指で触れることによって、蛍光ランプの明るさを、全点灯、調光点灯、消灯の順番で周期的に切り替えていた。この場合、消灯状態から全点灯状態に切り替えるためには、ユーザは、タッチスイッチを指で１回触れればよい。一方、消灯状態から調光点灯状態に切り替えるためには、ユーザは、タッチスイッチを指で１回触れて消灯状態から全点灯状態に切り替えた後、タッチスイッチを指で１回触れて全点灯状態から調光点灯状態に切り替えていた。このように、蛍光ランプを消灯状態から調光点灯状態に切り替えるために、明るさを切り替える操作を２回行わねばならず、操作が面倒であった。
【０００５】
本発明は上記課題に鑑みて為されたものであり、その目的とするところは、照明負荷の明るさを所望の明るさに簡単な操作で切り替えられる壁取付用スイッチを提供することにある。
【課題を解決するための手段】
【０００６】
上記課題を解決するために、本発明の壁取付用スイッチは、操作者が操作部に触れるタッチ操作を検知するタッチセンサと、前記タッチセンサが前記タッチ操作を検知している時間が所定時間よりも短ければ短押し操作と判断し、前記タッチセンサが前記タッチ操作を検知している時間が前記所定時間以上であれば長押し操作と判断する操作検知部と、前記操作検知部の検知結果に基づいて照明負荷を制御する調光制御部とを備え、消灯状態において前記操作検知部が前記短押し操作を検知すると、前記調光制御部は所定の第１調光レベルで前記照明負荷を点灯させ、前記第１調光レベルで点灯している状態又は消灯状態において前記操作検知部が前記長押し操作を検知すると、前記調光制御部は前記第１調光レベルよりも明るい所定の第２調光レベルで前記照明負荷を点灯させ、前記第２調光レベル又は前記第１調光レベルにおいて前記操作検知部が前記押し操作を検知すると、前記調光制御部は前記照明負荷を消灯させることを特徴とする。
【発明の効果】
【０００７】
本発明によれば、操作者が操作部に所定時間以上触れているか否かによって照明負荷の調光レベルが直接的に切り替わるので、１回のスイッチ操作で照明負荷の明るさを所望の調光レベルに簡単に切り替えることができる。また、操作者が操作部を所定時間よりも短い時間押す短押し操作により照明負荷の点灯／消灯が切り替わるので、照明負荷の点灯／消灯の操作方法がわかりやすい。更に、操作者が操作部を所定時間以上押し続ける長押し操作により照明負荷が第１調光レベルよりも明るい第２調光レベルで点灯するので、照明負荷を第２調光レベルで点灯させる操作方法がわかりやすい。
【図面の簡単な説明】
【０００８】
【図１】本実施形態の壁取付用スイッチのブロック図である。
【図２】同上の施工状態を示す正面図である。
【図３】同上の動作を説明する状態遷移図である。
【発明を実施するための形態】
【０００９】
本実施形態の壁取付用スイッチを図１〜図３に基づいて説明する。
【００１０】
本実施形態の壁取付用スイッチ１は、調光制御が可能な照明負荷１００の動作を制御するために用いられる。尚、照明負荷１００は、壁取付用スイッチ１から入力される調光信号Ｓ１の電圧レベルに応じて、光源である発光ダイオード（図示せず）の調光レベルを変化させるようなＬＥＤ照明器具である。
【００１１】
図２は、壁取付用スイッチ１が壁２００に取り付けられた状態を正面から見た図であり、以下の説明では特に断りがないかぎり、図２に示す向きにおいて上下左右の方向を規定して説明を行う。
【００１２】
図１は壁取付用スイッチ１のブロック図である。この壁取付用スイッチ１は、信号処理部１１と、複数個のタッチセンサ１２と、出力回路１３と、複数個の発光ダイオード（ＬＥＤ）１４と、ブザー１５と、ドライブ回路１６，１７と、電源回路１８と、メモリ１９とを備える。尚、図１の回路を構成する回路部品が実装された回路基板（図示せず）は、器体２０の内部に収納されている。
【００１３】
壁取付用スイッチ１の器体２０は合成樹脂により箱型に形成されており、器体２０を前方から見た形状は縦長の（左右方向よりも上下方向の方が長い）矩形状に形成されている。この器体２０は、埋込型配線器具を壁２００に取り付けるために使用される取付枠（図示せず）を用いて、壁２００に取り付けられる。取付枠の前側には化粧枠２１が取り付けられ、化粧枠２１の中央の開口２１ａから、器体２０の前面が露出する。尚、取付枠は、例えば特開２００９−７４９３６号公報に開示されているような従来周知のものであるから、図示及び説明は省略する。
【００１４】
器体２０の前壁の裏側には、静電容量型のセンサで構成されたタッチセンサ１２が配置されている。タッチセンサ１２の個数は１個でも複数個でもよく、器体２０の前壁の略全体に設けられた操作部２０ａをカバーするために必要な個数のタッチセンサ１２が、器体２０の前壁の裏側に配置されている。器体２０は合成樹脂で形成されているので、タッチ操作を行うために器体２０の操作部２０ａに指で触れると、指で触れた部位の裏側付近にあるタッチセンサ１２の静電容量値が変化し、それに応じてタッチセンサ１２の出力が変化する。タッチセンサ１２の出力は信号処理部１１に入力されている。尚、タッチセンサ１２は静電容量式のものに限らず、抵抗膜方式など周知の検知方式のものが利用できる。
【００１５】
器体２０の前壁の裏側には、複数個（例えば７個）の発光ダイオード１４が配置されている。発光ダイオード１４の各々は、例えばＲＧＢフルカラー発光の発光ダイオードで構成されている。発光ダイオード１４は、操作部２０ａの中心位置に対応する位置に１個配置され、この発光ダイオード１４を中心とする円周上に残りの６個の発光ダイオードが等間隔に配置されている。尚、器体２０の前壁は、発光ダイオード１４の発光が透過可能な程度の厚みに形成されている。
【００１６】
ここで、操作者が操作部２０ａを所定時間よりも短い時間押す操作を短押し操作といい、操作者が操作部２０ａを所定時間以上押し続ける操作を長押し操作という。尚、上記の所定時間とは、操作者が操作部２０ａに意図的に触れ続けているとみなせる程度の時間であり、例えば１秒〜２秒程度の時間に設定されている。
【００１７】
信号処理部１１は例えばマイクロコンピュータからなり、壁取付用スイッチ１の全体的な制御を行う。信号処理部１１は、操作検知部１１ａと、タイマ１１ｂとクロック（図示せず）とを備えている。タイマ１１ｂは、クロックの発生したパルス信号をカウントすることによって時間を計測する。信号処理部１１は、タッチセンサ１２がタッチ操作を検知するとタイマ１１ｂを動作させる。信号処理部１１は、タイマ１１ｂが動作している状態でタッチセンサ１２がタッチ操作を検知しなくなるとタイマ１１ｂを停止させる。操作検知部１１ａは、タイマ１１ｂの計測した時間が所定時間よりも短ければ短押し操作を検知し、タイマ１１ｂの計測時間が前記所定時間以上になれば長押し操作を検知する。信号処理部１１は、操作検知部１１ａが短押し操作を検知するとタイマ１１ｂをリセットする。信号処理部１１は、操作検知部１１ａが長押し操作を検知するとタイマ１１ｂを停止してリセットする。信号処理部１１は、操作検知部１１ａの検知結果に基づいて、照明負荷１００の点灯状態を制御する制御命令を出力回路１３及びドライブ回路１６，１７に出力する。尚、タッチ操作に応じた信号処理部１１の制御内容については後述する。
【００１８】
出力回路１３は、信号処理部１１からの制御命令に応じて調光信号Ｓ１の電圧レベルを変化させる。出力回路１３の調光信号Ｓ１は照明負荷１００に入力され、照明負荷１００は、調光信号Ｓ１の電圧レベルに応じて光源である発光ダイオード（図示せず）の調光レベルを制御する。
【００１９】
ドライブ回路１６は、信号処理部１１からの制御命令に応じて、複数個の発光ダイオード１４の点灯／消灯、並びに、点灯させる場合はその発光色を個別に制御する。
【００２０】
ドライブ回路１７は、信号処理部１１からの制御命令に応じてブザー１５を鳴動させる。
【００２１】
メモリ１９は、例えばＥＥＰＲＯＭなどの電気的に書き換え可能な不揮発性メモリからなり、短押し操作時に照明負荷１００を点灯させる第１調光レベルと、長押し操作時に照明負荷１００を点灯させる第２調光レベルの設定値が予め登録されている。本実施形態では例えば第１調光レベルとして７０％の調光レベルが設定され、第２調光レベルとして１００％の調光レベルが設定されている。尚、第１調光レベル及び第２調光レベルは工場出荷時に予め設定しておいてもよいし、設定ボリュームや切替スイッチなどの適宜の手段でユーザが設定値を変更できるようにしてもよい。
【００２２】
電源回路１８は、ＡＣ／ＤＣ変換部（ＡＣ／ＤＣ）１８ａと、ＬＤＯ（Low DropOut）レギュレータ（ＬＤＯ）１８ｂとで構成される。ＡＣ／ＤＣ変換部１８ａは、商用交流電源から供給される交流電力を直流に変換する。ＬＤＯレギュレータ１８ｂは、ＡＣ／ＤＣ変換部１８ａの出力電圧を所定電圧に降圧して信号処理部１１に供給する。尚、電源回路１８の構成は本実施形態に限定されるものではなく、適宜変更が可能である。
【００２３】
ここで、壁取付用スイッチ１の動作について説明する。信号処理部１１は、操作検知部１１ａの検知結果に応じた負荷制御を行っており、その動作を表す状態遷移図を図３に示す。
【００２４】
照明負荷１００が消灯している状態（状態ＳＴ１）では、信号処理部１１は、ドライブ回路１６を制御して、発光ダイオード１４を緑色点灯させており、壁取付用スイッチ１の位置表示並びに操作部２０ａの位置表示を行う。
【００２５】
照明負荷１００の消灯中に、操作者が操作部２０ａに所定時間よりも短い時間のタッチ操作（短押し操作）を行うと（イベントｔ１）、タッチセンサ１２がタッチ操作を検知する。信号処理部１１は、タッチセンサ１２がタッチ操作を検知するとタイマ１１ｂを動作させる。操作検知部１１ａは、タイマ１１ｂの計測した時間が所定時間よりも短いので、短押し操作と判断する。短押し操作が検知されると信号処理部１１は、メモリ１９から第１調光レベルの設定値を読み出す。信号処理部１１は、読み出した調光レベルに応じた調光信号Ｓ１を出力回路１３から照明負荷１００に出力させ、照明負荷１００を第１調光レベルで点灯させる（状態ＳＴ２）。本実施形態では第１調光レベルが７０％の調光レベルに設定されているので、状態ＳＴ２では照明負荷１００が７０％の調光レベルで調光点灯する。また信号処理部１１は、ドライブ回路１７を制御してブザー１５から報知音（例えば「ピ」という音）を鳴動させ、短押し操作を受け付けたことを操作者に報知する。また信号処理部１１は、ドライブ回路１６を制御して発光ダイオード１４を赤色点灯させることで、点灯中であることを視覚的に表示する。
【００２６】
照明負荷１００の消灯中に、操作者が操作部２０ａに所定時間以上のタッチ操作（長押し操作）を行うと（イベントｔ２）、タッチセンサ１２がタッチ操作を検知する。信号処理部１１は、タッチセンサ１２の検知開始からタイマ１１ｂを動作させる。操作検知部１１ａは、タイマ１１ｂの計測した時間が所定時間以上であるため、長押し操作と判断する。長押し操作が検知されると信号処理部１１は、メモリ１９から第２調光レベルの設定値を読み出す。信号処理部１１は、読み出した調光レベルに応じた調光信号Ｓ１を出力回路１３から照明負荷１００に出力させ、照明負荷１００を第２調光レベルで点灯させる（状態ＳＴ３）。本実施形態では第２調光レベルが１００％の調光レベルに設定されているので、状態ＳＴ２では照明負荷１００が全点灯状態で点灯する。また信号処理部１１は、ドライブ回路１７を制御してブザー１５から報知音（例えば「ピ，ピ」という音）を鳴動させ、長押し操作を受け付けたことを操作者に報知する。また信号処理部１１は、ドライブ回路１６を制御して発光ダイオード１４を赤色点灯させることで、点灯中であることを視覚的に表示する。
【００２７】
照明負荷１００が第１調光レベル又は第２調光レベルで点灯している状態（状態ＳＴ２，ＳＴ３）で、操作者が操作部２０ａに所定時間よりも短い時間のタッチ操作（短押し操作）を行うと（イベントｔ３，ｔ４）、タッチセンサ１２がタッチ操作を検知する。信号処理部１１は、タッチセンサ１２がタッチ操作を検知するとタイマ１１ｂを動作させる。操作検知部１１ａは、タイマ１１ｂの計測した時間が所定時間よりも短いため、短押し操作と判断する。点灯状態において短押し操作が検知されると信号処理部１１は、出力回路１３から調光信号Ｓ１の出力を停止させ、照明負荷１００を消灯させる（状態ＳＴ１）。また、信号処理部１１は、ドライブ回路１７を制御してブザー１５から報知音（例えば「ピ」という音）を鳴動させ、短押し操作を受け付けたことを操作者に報知する。また、信号処理部１１は、ドライブ回路１６を制御して、発光ダイオード１４を緑色点灯させることで、位置表示を行う。
【００２８】
照明負荷１００が第１調光レベルで点灯している状態（状態ＳＴ２）で、操作者が操作部２０ａに所定時間以上のタッチ操作（長押し操作）を行うと（イベントｔ５）、タッチセンサ１２がタッチ操作を検知する。信号処理部１１は、タッチセンサ１２がタッチ操作を検知するとタイマ１１ｂを動作させる。操作検知部１１ａは、タイマ１１ｂの計測した時間が所定時間以上であるため、長押し操作と判断する。長押し操作が検知されると信号処理部１１は、調光レベルを切り替えるために、メモリ１９から第２調光レベルの設定値を読み出す。信号処理部１１は、読み出した調光レベルに応じた調光信号Ｓ１を出力回路１３から照明負荷１００に出力させ、照明負荷１００を第２調光レベルで点灯させる（状態ＳＴ３）。本実施形態では第２調光レベルが１００％の調光レベルに設定されているので、状態ＳＴ３では照明負荷１００が全点灯状態で点灯する。また信号処理部１１は、ドライブ回路１７を制御してブザー１５から報知音（例えば「ピ，ピ」という音）を鳴動させ、長押し操作を受け付けたことを操作者に報知する。
【００２９】
照明負荷１００が第２調光レベルで点灯している状態（状態ＳＴ３）で、操作者が操作部２０ａに所定時間以上のタッチ操作（長押し操作）を行うと（イベントｔ６）、タッチセンサ１２がタッチ操作を検知する。信号処理部１１は、タッチセンサ１２がタッチ操作を検知するとタイマ１１ｂを動作させる。操作検知部１１ａは、タイマ１１ｂの計測した時間が所定時間以上であると判断して、長押し操作と判断する。長押し操作が検知されると信号処理部１１は、調光レベルを切り替えるために、メモリ１９から第１調光レベルの設定値を読み出す。信号処理部１１は、読み出した調光レベルに応じた調光信号Ｓ１を出力回路１３から照明負荷１００に出力させ、照明負荷１００を第１調光レベルで点灯させる（状態ＳＴ２）。本実施形態では第１調光レベルが７０％の調光レベルに設定されているので、状態ＳＴ２では照明負荷１００が７０％の調光レベルで調光点灯する。また信号処理部１１は、ドライブ回路１７を制御してブザー１５から報知音（例えば「ピ，ピ」という音）を鳴動させ、長押し操作を受け付けたことを操作者に報知する。
【００３０】
上記の動作をまとめると、壁取付用スイッチ１は、消灯状態において、操作者が操作部２０ａに短押し操作を行うと照明負荷１００を第１調光レベルで点灯させ、操作者が操作部２０ａに長押し操作を行うと照明負荷１００を第２調光レベルで点灯させる。また、壁取付用スイッチ１は、照明負荷１００が第１調光レベル又は第２調光レベルで点灯している状態で、操作者が操作部２０ａに短押し操作を行うと照明負荷１００を消灯させる。また、壁取付用スイッチ１は、照明負荷１００が点灯している状態で、操作者が操作部２０ａに長押し操作を行うと照明負荷１００の調光レベルを第１調光レベルから第２調光レベルへ、或いは、第２調光レベルから第１調光レベルへと切り替える。
【００３１】
以上説明したように、本実施形態の壁取付用スイッチ１は、タッチセンサ１２と、操作検知部１１ａと、調光制御部とを備える。タッチセンサ１２は、操作者が操作部２０ａに触れるタッチ操作を検知する。操作検知部１１ａは、タッチセンサ１２がタッチ操作を検知している時間が所定時間よりも短ければ短押し操作と判断し、タッチセンサ１２がタッチ操作を検知している時間が所定時間以上であれば長押し操作と判断する。調光制御部は、操作検知部１１ａの検知結果に基づいて照明負荷１００を制御する。消灯状態において操作検知部１１ａが短押し操作を検知すると、調光制御部は所定の第１調光レベルで照明負荷１００を点灯させる。第１調光レベルで点灯している状態又は消灯状態において操作検知部１１ａが長押し操作を検知すると、調光制御部は第１調光レベルよりも明るい所定の第２調光レベルで照明負荷１００を点灯させる。第２調光レベル又は第１調光レベルにおいて操作検知部１１ａが押し操作を検知すると、調光制御部は照明負荷１００を消灯させる。
【００３２】
操作者が操作部２０ａに所定時間以上触れているか否かによって照明負荷１００の調光レベルが直接的に切り替わるので、１回のスイッチ操作で照明負荷１００の明るさを所望の調光レベルに簡単に切り替えることができる。また、操作者が操作部２０ａを所定時間よりも短い時間押す短押し操作により照明負荷１００の点灯／消灯が切り替わるので、照明負荷１００の点灯／消灯の操作方法がわかりやすい。更に、操作者が操作部２０ａを所定時間以上押し続ける長押し操作により照明負荷１００が第１調光レベルよりも明るい第２調光レベルで点灯するので、照明負荷１００を第２調光レベルで点灯させる操作方法がわかりやすい。
【符号の説明】
【００３３】
１      壁取付用スイッチ
１１    信号処理部（調光制御部）
１１ａ  操作検知部
１１ｂ  タイマ
１２    タッチセンサ
１３    出力回路（調光制御部）
１００  照明負荷
【図１】
2014235978.tif 000003
【図２】
2014235978.tif 000004
【図３】
2014235978.tif 000005